(57)【要約】【課題】対物レンズを備えた光ピックアップであって、前記光ディスクと前記光ピックアップが異常接近した場合であっても、対物レンズと光ディスクとの接触を抑制し、光ディスクに傷がついたり、対物レンズに不具合が発生したりするのを抑制する。【解決手段】対物レンズ３６と、対物レンズ３６が保持された対物レンズホルダ２４と、対物レンズホルダ２４の上面に備えられた緩衝部材２７とを有し、対物レンズホルダ２４の上面には凹溝２４５が形成されており、緩衝部材２７は、柱状に形成された一対の斜行部２７１と、斜行部２７１の端部同士を連結させる柱状の連結部２７２とを有する山形の部材であり、斜行部２７１の先端側が凹溝２４５に挿入されるとともに、連結部２７２が対物レンズ３６及び対物レンズホルダ２４の上面より突出するように固定されている光ピックアップＡ。【選択図】図４
2008293551.tif 000002
【特許請求の範囲】
【請求項１】
光ディスクに対向して配置された対物レンズと、
前記対物レンズが上面に保持された対物レンズホルダと、
前記対物レンズホルダの上面に備えられた緩衝部材とを有する光ピックアップであって、
前記対物レンズホルダの上面には前記対物レンズの周囲に少なくとも２個の長方形状の底面を有する凹溝が形成されており、
前記緩衝部材は、柱状に形成された一対の斜行部と、前記斜行部の端部と接続し、前記端部同士を連結させる柱状の連結部とを有する山形の部材であり、少なくとも前記連結部は前記対物レンズ及び前記対物レンズホルダよりも摩擦係数が小さく、前記光ディスクの表面よりも磨耗しやすく形成されており、
前記緩衝部材は前記一対の斜行部の前記連結部と連結していない端部である先端部が前記凹溝に挿入されるとともに、前記連結部が前記対物レンズ及び前記対物レンズホルダの上面より前記光ディスクに接近するように突出して固定されていることを特徴とする光ピックアップ。
【請求項２】
前記緩衝部材は、前記一対の斜行部の先端部同士の距離が拡大するように変形可能に形成されており、
前記緩衝部材は前記先端部同士の距離が拡大するように変形されて、前記凹溝に挿入固定されていることを特徴とする請求項１に記載の光ピックアップ。
【請求項３】
前記斜行部の先端部は前記凹溝の底面と当接しており、前記先端部と前記底面とが接着固定されていることを特徴とする請求項１又は請求項２に記載の光ピックアップ。
【請求項４】
前記凹溝の底面には、長手方向中央近傍より立設された突出部が形成されており、
前記緩衝部材は前記一対の斜行部の先端部と前記連結部との間の部分が前記突出部に固定されていることを特徴とする請求項１又は請求項２に記載の光ピックアップ。
【請求項５】
前記緩衝部材は、前記一対の斜行部又は前記連結部の少なくとも一方が弾性変形可能に形成されていることを特徴とする請求項１から請求項４のいずれかに記載の光ピックアップ。
【請求項６】
前記緩衝部材は、前記連結部が付勢されることで変形し、
前記対物レンズより前記光ディスクにレーザ光を照射するときに、前記連結部の前記対物レンズ及び前記対物レンズホルダの上面より突出した突出量が前記光ディスクと前記対物レンズ又は前記対物レンズホルダの上面との距離のうち短いほうの長さよりも短くなるように調整されていることを特徴とする請求項５に記載の光ピックアップ。
【発明の詳細な説明】
【技術分野】
【０００１】
本発明は、情報の再生又は記録のために光ディスクにレーザ光を照射し、対物レンズ及び（又は）対物レンズホルダと光ディスクとの接触を抑制することができる光ピックアップに関するものである。
【背景技術】
【０００２】
記録媒体であるＣＤ、ＤＶＤ等の光ディスクに光を照射することで、データの記録又は再生を行う光ディスク装置には、前記光ディスクにレーザ光を照射する光ピックアップが備えられている。前記光ピックアップにはレーザ光源と、前記レーザ光源より出射されたレーザ光を収束させる対物レンズとが備えられている。
【０００３】
前記光ピックアップは前記レーザ光源より出射されたレーザ光を前記対物レンズで収束させたレーザスポットを、前記光ディスクの記録面にらせん状又は同心円状に形成されたトラックに照射させて、記録又は再生を行っている。
【０００４】
前記光ピックアップにおいて、前記レーザスポットを前記トラックに正確に照射させるために、対物レンズは光軸方向（フォーカス方向）、前記光ディスクの径方向（トラッキング方向）及び光軸の角度を変更する方向（チルト方向）に移動可能な対物レンズホルダに取り付けられている。
【０００５】
また、前記対物レンズホルダには、磁石及びコイルを用いることで前記対物レンズホルダを前記フォーカス方向、トラッキング方向及びチルト方向に移動させることができるレンズ駆動機構を備えている。前記レンズ駆動機構が駆動されることで、前記光ディスクの記録面に前記レーザスポットの焦点を一致させることができるとともに、前記レーザスポットを前記光ディスクのトラックに正確に追従させることができる。
【０００６】
また、近年、ＤＶＤよりも記憶容量が大きいブルーレイディスク（ＢＤ）が発表されている。ＢＤメディアはＣＤメディア、ＤＶＤメディアと同じ直径を有し、前記ＤＶＤの約５倍の記憶容量を有している。すなわち、ＢＤはＤＶＤに比べて記録密度が高く（記録面のトラックの幅が細く）なっており、そのためにはレーザスポットの大きさを小さくする必要がある。
【０００７】
光ディスク装置において、前記レーザスポットの径の最小値はレーザ光の波長と、対物レンズの開口数（ＮＡ）とで決まるものであり、一般的に、波長が短くなり、ＮＡが大きくなるほど、レーザスポットの径の最小値は小さくなる。例えば、ＣＤ用の光ピックアップで採用されるレーザ光は波長約７８０ｎｍの赤外レーザであり、対物レンズのＮＡは約０．４５である。また、ＤＶＤの光ピックアップでは、波長約６５０ｎｍの赤色レーザを出射するレーザ光源、ＮＡが約０．６の対物レンズが採用されている。
【０００８】
これに対し、ＢＤの記録／再生に用いられる光ピックアップでは、波長約４０５ｎｍの青色レーザを出射するレーザ光源と、ＮＡ約０．８５の対物レンズが用いられている。
【０００９】
対物レンズは一般的に、ＮＡが大きくなるにしたがって、対物レンズと光ディスクとの距離であるワーキングディスタンスは小さくなる。ＣＤの記録／再生を行う光ピックアップでは約１．２ｍｍ、ＤＶＤの記録／再生を行う光ピックアップでは約０．６ｍｍである。これに対し、ＢＤの記録／再生を行う光ピックアップでは約０．２ｍｍであり非常に小さい。
【００１０】
前記光ディスク装置へ加えられた衝撃や駆動系の振動等の不意の外力や、制御の乱れなどの不具合が発生した場合、前記対物レンズと前記光ディスクとが異常接近し、接触或いは衝突してしまう可能性がある。前記対物レンズと前記光ディスクとが接触してしまい、前記対物レンズに傷がついたり、破損したりすると前記光ピックアップは正しくレーザスポットを収束させることができず、正確に記録／再生を行うことができなくなる。また、前記光ディスクに傷がついてしまうと、前記光ディスクの再生が不可能になってしまうことがあり、貴重なデータが破損されてしまう可能性がある。
【００１１】
そこで、従来の光ピックアップには、対物レンズの近傍に前記対物レンズが前記光ディスクに異常接近したときに、前記光ディスクに接触し、前記対物レンズが前記光ディスクと接触或いは衝突するのを防ぐための防護部材が取り付けられている。この防護部材は、十分に磨耗性を有する材料で形成されるものであり、前記光ディスクと接触した場合でも、前記光ディスクが傷つかないようになっている。
【００１２】
前記防護部材は、前記光ピックアップの前記対物レンズホルダの前記対物レンズが取り付けられる部分に近接し、前記対物レンズを挟んで対向するように配置されるものである。前記防護部材として、前記防護部材を別途製作し、前記光ピックアップに取付固定するもの（特開２００６−１５５８２５号公報）や、前記防護部材を前記対物レンズホルダと一体に形成するもの（特開２００７−１８６３２号公報）、磨耗性の高いコーティングを施すもの等が用いられている。
【特許文献１】特開２００６−１５５８２５号公報
【特許文献２】特開２００７−１８６３２号公報
【発明の開示】
【発明が解決しようとする課題】
【００１３】
上述したように、前記ＢＤを再生する光ピックアップの場合、ワーキングディスタンスが非常に狭い。特開平２００６−１５５８２５号公報や特開平２００７−１８２３５号公報に記載の光ピックアップのように、形状及び大きさが予め決められている前記防護部材をＢＤ用の光ピックアップに利用すると、製造時のばらつきや、組み付け時の取付誤差が発生したときに、前記防護部材と前記光ディスクの間の距離を正確に設計時の大きさにするのが難しい。
【００１４】
それゆえ、わずかな変動（駆動時想定されているような）で前記光ディスクと前記防護部材とが接触してしまったり、前記対物レンズホルダが前記光ディスクに異常接近した場合、前記防護部材に接触する前に、前記対物レンズ及び（又は）前記対物レンズホルダと接触してしまったりする可能性がある。
【００１５】
また、前記対物レンズホルダに磨耗性の高いコーティングを施し、このコーティング膜を防護部材とするものの場合、前記コーティングの膜厚によって前記防護部材と前記光ディスクとの間の距離を調整することができる。しかしながら、前記コーティングを施すためには、マスキング等前処理も必要であり、手間と時間がかかる。また、前記コーティングの膜厚を厚くするためには、コーティングを複数回やり直さなくてはならず手間と時間がかかる。また、コーティングはそれ自体が高価であることもあわせて、光ピックアップを製造するためにかかるコストが高くなる。
【００１６】
そこで本発明は、上述した問題に鑑みてなされたものであり、簡単な構成で、光ピックアップが光ディスクに異常接近したときに、前記光ディスクと対物レンズ及び（又は）対物レンズホルダとが接触／衝突するのを抑制することができる光ピックアップを提供することを目的とする。
【課題を解決するための手段】
【００１７】
上記目的を達成するため本発明は、光ディスクに対向して配置された対物レンズと、前記対物レンズが上面に保持された対物レンズホルダと、前記対物レンズホルダの上面に備えられた緩衝部材とを有する光ピックアップであって、前記対物レンズホルダの上面には前記対物レンズの周囲に少なくとも２個の長方形状の底面を有する凹溝が形成されており、前記緩衝部材は、柱状に形成された一対の斜行部と、前記斜行部の端部と接続し、前記端部同士を連結させる柱状の連結部とを有する山形の部材であり、少なくとも前記連結部は前記対物レンズ及び前記対物レンズホルダよりも摩擦係数が小さく、前記光ディスクの表面よりも磨耗しやすく形成されており、前記緩衝部材は前記一対の斜行部の前記連結部と連結していない端部である先端部が前記凹溝に挿入されるとともに、前記連結部が前記対物レンズ及び前記対物レンズホルダの上面より前記光ディスクに接近するように突出して固定されていることを特徴とする。
【００１８】
この構成によると、前記対物レンズが前記光ディスクに異常接近した場合であっても、前記光ディスクと前記対物レンズ又は前記対物レンズホルダとが接触／衝突する前に、前記緩衝部材の連結部が前記光ディスクと接触する。
【００１９】
このことにより、前記対物レンズ又は前記対物レンズホルダに前記光ディスクが接触しないので、前記対物レンズが傷ついたり破損したりして、精度よくレーザ光を摺動できなくなったり、前記対物レンズがずれてレーザ光の光軸がずれてしまったりして、記録／再生が不安定或いは不可能になるのを抑制することができる。
【００２０】
また、前記連結部は前記対物レンズ及び前記対物レンズホルダよりも摩擦係数が小さく、前記光ディスクよりも磨耗しやすく形成されているので、前記光ディスクが前記対物レンズ又は前記対物レンズホルダと接触したときに比べて、前記光ディスクに傷がつきにくい。
【００２１】
このことにより、前記光ディスクが使えなくなるのを抑制でき、前記光ディスクに記録されているデータを取り出せなくなる不具合が発生するのを抑制することが可能である。
【００２２】
上記構成において、前記緩衝部材は、前記一対の斜行部の先端部同士の距離が拡大するように変形可能に形成されており、前記緩衝部材は前記先端部同士の距離が拡大するように変形されて、前記凹溝に挿入固定されているものであってもよい。
【００２３】
この構成によると、前記一対の斜行部の端部同士の距離を拡大させることで、前記端部同士をつなぐ線分と前記連結部との距離を調節することができる。これにより、前記連結部の前記対物レンズ及び前記対物レンズホルダより突出する突出量を適正なものにすることが可能である。
【００２４】
上記構成において、前記斜行部の先端部は前記凹溝の底面と当接しており、前記先端部と前記底面とが接着固定されているものであってもよく、前記凹溝の底面には、長手方向中央近傍より立設された突出部が形成されており、前記緩衝部材は前記一対の斜行部の先端部と前記連結部との間の部分が前記突出部に固定されているものであってもよい。
【００２５】
上記構成において、前記緩衝部材は、前記一対の斜行部又は前記連結部の少なくとも一方が弾性変形可能に形成されているものであってもよい。
【００２６】
この構成によると、前記緩衝部材の形状を確かめながら変形させることができるので、変形させすぎてしまっても元に戻るので、前記連結部が前記対物レンズ又は前記対物レンズホルダより突出しなくなるのを抑制することが可能である。また、光ディスクと接触、衝突したときの衝撃力を弾性変形することで緩和することができるので、前記光ディスクに傷がつくのを抑制することができる。
【００２７】
上記構成において、前記緩衝部材は、前記連結部を付勢されることで変形し、前記連結部が前記対物レンズより突出する突出量が前記対物レンズにて集光されて形成されたレーザスポットと前記対物レンズとの距離よりも短くなるように調整されているものであってもよい。
【００２８】
この構成によると、前記対物レンズをはじめとする光学部品の製造誤差、組付誤差、収差等による個体差がある場合であっても、前記連結部の突出量を最適なものとすることができる。このことは、前記緩衝部材が必要とされる加工精度を上げることなく、効果的に前記対物レンズ及び（又は）光ディスクに傷や破損等の不具合が発生することができる光ピックアップを提供することが可能である。また、加工精度を上げなくてもよいので、それだけ、製造コストを低く抑えることが可能である。
【発明の効果】
【００２９】
本発明によると、簡単な構成で、光ピックアップが光ディスクに異常接近したときに、前記光ディスクと対物レンズ及び（又は）対物レンズホルダとが接触／衝突するのを抑制することができる光ピックアップを提供することができる。
【発明を実施するための最良の形態】
【００３０】
以下に本発明の実施形態を図面を参照して説明する。図１は本発明にかかる光ピックアップの一例の構成を示す配置図である。図１に示す光ピックアップＡは本体１と、対物レンズを駆動するアクチュエータ２とを備えている。図１に示す光ピックアップＡはＢＤの記録／再生を行うための光学系３を備えている。図１に示す光ピックアップでは、便宜上、青色レーザの光路に関して実線で表示している。
【００３１】
光学系３は少なくとも、青色レーザ光源３１と、偏光ビームスプリッタ３２と、コリメータレンズ３３と、立ち上げミラー３４と、１／４波長板３５と、対物レンズ３６と、センサレンズ３７と、受光素子Ｐｄとを備えている。
【００３２】
青色レーザ光源３１は波長が約４０５ｎｍの青色レーザ光を出射するものであり、ＢＤメディアの記録／再生に利用されるものである。偏光ビームスプリッタ３２は、入射されたレーザ光の偏光方向によって透過又は反射させるプリズムである。本発明では、青色レーザ光源３１より出射され、偏光ビームスプリッタ３２に入射したレーザ光は透過し、ＢＤメディアの記録面で反射したレーザ光は偏光ビームスプリッタ３２で反射される。
【００３３】
コリメータレンズ３３は、点光源である青色レーザ光源３１より出射された拡散光であるレーザ光を平行光に変換する。コリメータレンズ３３より出射されたレーザ光は立ち上げミラー３４にて直交する方向に反射される。これにより、レーザ光の光路はＢＤメディアの記録層に直交する方向に変更される。
【００３４】
１／４波長板３５は入射する光に１／４波長の位相差を生じさせるものであり、直線偏光の光を円偏光に、円偏光の光を直線偏光に変換することができる。対物レンズ３６は、青色レーザ光を収束させレーザスポットとしてＢＤメディアの記録面に照射させることができる。
【００３５】
ＢＤメディアの記録面で反射されたレーザ光は再度１／４波長板３５に入射する。このとき、反射されたレーザ光は円偏光から直線偏光に変換される。この直線偏光に変換されたレーザ光の偏光方向は、青色レーザ光源より出射されたレーザ光の偏光方向に対して直交する。これにより、偏光ビームスプリッタ３２ではレーザ光は透過せずに反射され、センサレンズ３７を介して受光素子Ｐｄに入射する。受光素子Ｐｄでは、入射したレーザ光を電気信号に変換し、出力信号として記録／再生に利用する。
【００３６】
上述した光学部材のうち対物レンズ３６はアクチュエータ２に配置される。アクチュエータ２は本体１に取り付けられている。
【００３７】
図２は本発明にかかる光ピックアップに備えられたアクチュエータの一例の平面図であり、図３は図２に示すアクチュエータの正面図であり、図４は図２に示すアクチュエータに用いられる対物レンズホルダの拡大斜視図であり、図５は本発明にかかる光ピックアップに備えられた対物レンズホルダの断面図である。アクチュエータ２はアクチュエータベース２１と、永久磁石２２と、支持部材２３と、対物レンズ３６を保持する対物レンズホルダ２４と、電力基板２５と、ワイヤばね２６と、緩衝部材２７とを有している。図中ＴａはＢＤメディアのタンジェンシャル方向（周方向）、Ｒａはラジアル方向（径方向）である。
【００３８】
アクチュエータベース２１は金属板の打ち抜き、切り曲げによって形成されるものである。アクチュエータベース２１には、青色レーザ光が通過する貫通孔２１１と、永久磁石２２を保持するとともに、バックヨークとして作用する磁石保持部２１２とを備えている。永久磁石２２は対物レンズホルダ２４に磁界を作用させるものであり、それには限定されないがネオジウム磁石が採用されている。
【００３９】
支持部材２３は樹脂製であり、アクチュエータベース２１に図示を省略したボルトを用いて強固に固定されている。また、ボルトに限定されるものではなく、はめ込み、溶着、接着等、アクチュエータベース２１から脱落しないように固定するものを広く採用することができる。
【００４０】
電力基板２５はここでは屈曲性を有するＦＰＣ（Flexible Print Circuit）が採用されており、支持部材２３の一部を覆うように接着されている。電力基板２５としてＦＰＣに限定されるものではなく、支持部材２３に安定して取り付けられるものを広く採用することができる。電力基板２５には電力を供給するための端子部２５１を備えている。
【００４１】
対物レンズホルダ２４について、図面を参照して説明する。図３、図４に示すように対物レンズホルダ２４は、下面から上面に貫通し、上面端部側に対物レンズ３６が取り付けられた対物レンズ取付孔２４１と、対物レンズホルダ２４を光軸方向に摺動させるためのフォーカスコイル２４２と、対物レンズホルダ２４を光ディスクの径方向に摺動させるためのトラッキングコイル２４３と、フォーカスコイル２４２、トラッキングコイル２４３に電力を供給するための接続端子２４４を有している。
【００４２】
対物レンズホルダ２４はワイヤばね２６を介して、底部がアクチュエータベース２１と接触しないように支持部材２３に支持されている。ワイヤばね２６は導電性を有する弾性部材であり、対物レンズホルダ２４の接続端子２４４と接触するように取り付けられている。また、支持部材２３に取り付けられた電力基板２５の端子部２５１と接触している。このように、ワイヤばね２６を介して、端子部２５１と接続端子２４４が電気的に接続されており、電力基板２５よりワイヤばね２６を介して、フォーカスコイル２４２、トラッキングコイル２４３に電力を供給する。
【００４３】
対物レンズ３６は開口数（ＮＡ）の大きなもの（ＮＡ＝０．８５）が採用されている。これにより、対物レンズ３６から光ディスクまでの距離（ワーキングディスタンス）がＣＤ用、ＤＶＤ用の光ピックアップに比べて短く、対物レンズ３６が対物レンズホルダ２４の上面に突出して取り付けられているので、対物レンズ３６と光ディスク（ＢＤ）とが接触しやすい。それゆえ、対物レンズホルダ２４の上面には、対物レンズ３６と光ディスク（ＢＤ）とが直接接触するのを抑制するために緩衝部材２７が取り付けられている。
【００４４】
対物レンズホルダ２４には、レンズ取付孔２４１を間に挟んで対向する位置に矩形状断面を有する一対の凹溝２４５が形成されており、一対の凹溝２４５にはそれぞれ緩衝部材２７が挿入、配置されている。図５に示すように、凹溝２４５はそれには限定されないが、ここでは、光ディスクのタンジェンシャル（Ｔａ）方向に並んで形成されている。
【００４５】
緩衝部材２７は、対物レンズ３６及び対物レンズホルダ２４よりも摺動性（摩擦係数が小さい）に優れるとともに光ディスクよりも磨耗性に優れる（磨耗しやすい）樹脂（例えば、ポリアセタール、テトラフルオロエチレン、超高分子量ポリエチレン等）の成型品、シート状のものにて製造されている。図５に示すように、緩衝部材２７は互いに他方に向けて倒れるように傾斜された一対の斜行部２７１と、一対の斜行部２７１同士を連結する連結部２７２とを有している。図６に示すように、斜行部２７１は同一の長さ及び形状を有する板状の部材である。斜行部２７１はそれ自体が弾性変形可能である。また、連結部２７２も弾性変形可能である。
【００４６】
図５に示す緩衝部材２７を対物レンズホルダ２４に取り付ける手順を以下に示す。図６は緩衝部材を凹溝に取り付けるときの断面図である。まず、対物レンズホルダ２４の凹溝２４５に紫外線硬化型の接着剤を充填し（塗布し）、その上から緩衝部材２７の斜行部２７１の先端部が、凹溝２４５の底部と当接するように配置する。図５、図６に示すように、緩衝部材２７は、斜行部２７１が下方に向くように凹溝２４５に配置されている。このとき、連結部２７２は対物レンズ３６よりも上方に突出している。また、図２に示すように、緩衝部材２７の端手方向の長さは凹溝２４５の短手方向の長さよりもわずかに小さく形成されているものであり、緩衝部材２７は凹溝２４５の短手方向にはほとんど移動しないように配置されている。
【００４７】
この状態で、緩衝部材２７の連結部２７２を対物レンズ２４方向に付勢することで、斜行部２７１の変形及び連結部２７２の弾性変形によって、斜行部２７１の端部が開き、連結部２７２の対物レンズ３６から突出した突出量を調整する。この突出量は、光ピックアップＡのワーキングディスタンスよりも小さくなるように形成されている。また、光ピックアップＡのフォーカス調整時に連結部２７２が光ディスクと接触、衝突しないように、所定の距離を保つように調整される。この高さ調整を行うときには、対物レンズ３６よりレーザ光を照射し、そのレーザスポットを観察し、突出量を決定する。
【００４８】
連結部２７２に力を付勢し、緩衝部材２７を変形させた状態で、凹溝２４５に充填された紫外線硬化型の接着剤に紫外線を照射し、接着剤を硬化させ、緩衝部材２７を凹溝２４５に固定される。
【００４９】
このように、緩衝部材２７の対物レンズホルダ２４から突出する高さを、レーザ光を測定しつつ調整するので、光ピックアップＡに取り付けられる各部材の製造時の誤差や、組み付け時の誤差、収差等による、ワーキングディスタンスの変動にあわせて調整することができ、光ピックアップＡを通常動作させたときには緩衝部材２７が光ディスクと接触せず、対物レンズ３６が光ディスクＡに異常接近したときに、緩衝部材２７が接触し、光ディスクと対物レンズ３６とが接触、衝突してしまうのを抑えることが可能である。
【００５０】
本発明にかかる光ピックアップの他の例を図を参照して説明する。図７は本発明にかかる光ピックアップに備えられた対物レンズホルダの断面図であり、図８は緩衝部材を取り付けるときの対物レンズホルダの断面図である。図７、図８に示す対物レンズホルダは、凹溝及び緩衝部材の形状が異なる以外は、図５、図６等に示す対物レンズホルダ２４と同じ形状を有しているものである。なお、対物レンズホルダ２４ｂは光ピックアップＡに対物レンズホルダ２４と置き換えて取り付けることが可能なものである。
【００５１】
図７に示す対物レンズホルダ２４ｂには、凹溝２４６が形成されている。この凹溝２４６には、底面の中央より突出した直方体形状の突出部２４７が形成されている。また、緩衝部材２８は、緩衝部材２７と同様にＶ字状の形状で形成されており、一対の斜行部２８１と、一対の斜行部２８１を連結する連結部２８２とを有している。
【００５２】
図８に示すように、凹溝２４６に紫外線硬化型の接着剤を充填しておき、突出部２４７の上面の両端部と斜行部２８１とが接触するように、緩衝部材２８を配置する。このとき、連結部２８２が対物レンズ３６より突出している。
【００５３】
この状態で、緩衝部材２８の連結部２８２を対物レンズ３６の光軸方向に付勢することで、斜行部２８１及び連結部２８２の弾性変形によって、斜行部２８１の端部が開き、連結部２８２の対物レンズ３６から突出する突出量を調整する。この突出量は、光ピックアップのワーキングディスタンスよりも小さくなるように形成されている。また、光ピックアップのフォーカスが正常に調整されているときには連結部２８２が光ディスクと接触しないように、所定の距離を保つように調整される。この高さ調整を行うときには、対物レンズ３６よりレーザ光を照射し、そのレーザスポットを観察し、突出量を決定する。
【００５４】
連結部２８２に力を付勢し、緩衝部材２８を変形させた状態で、凹溝２４６に充填された紫外線硬化型の接着剤に紫外線を照射し、接着剤を硬化させ、緩衝部材２８を凹溝２４６に固定される。また緩衝部材２８の高さを調整した後に、緩衝部材２８と突出部２８１とを接着するものであってもよい。
【００５５】
以上のように、緩衝部材の対物レンズホルダから突出する高さを、レーザ光を測定しつつ調整するので、光ピックアップに取り付けられる各部材の製造時の誤差や、組み付け時の誤差、収差等による、ワーキングディスタンスの変動にあわせて調整することができ、光ピックアップを通常動作させたときには緩衝部材が光ディスクと接触せず、対物レンズが光ディスクに異常接近したときに、緩衝部材が接触し、光ディスクと対物レンズとの接触、衝突を抑えることが可能である。
【００５６】
緩衝部材は対物レンズ及び対物レンズホルダよりも摺動性が優れるので、対物レンズ破損したり、ずれたりするのを抑制し、光ピックアップを安定して動作させることが可能である。また、光ディスクが硬い対物レンズや対物レンズホルダと接触するのを抑制するので、光ディスクが破損してしまうのを抑制することができる。これにより、光ディスクに記録されているデータが使えなくなるのを抑制することができる。また、緩衝部材の斜行部及び連結部は弾性変形可能に形成されているので、接触又は衝突したときに、弾性変形し、接触又は衝突時の衝撃力を緩和することが可能である。それだけ、光ディスク、対物レンズに傷がつくのを抑制することが可能である。
【００５７】
上述の各実施例では、ＢＤを記録／再生に用いる光ピックアップを例に説明しているが、これに限定されるものではなく、ＣＤ、ＤＶＤを記録／再生に用いる光ピックアップにも採用することが可能である。また、ＣＤ及び（又は）ＤＶＤ用の対物レンズとＢＤ用の対物レンズを両方備えた光ピックアップにも採用することが可能である。
【００５８】
また、上述の各実施例では、便宜上、緩衝部材は対物レンズホルダを挟んでタンジェンシャル方向に平行に並んで（換言すると、ラジアル方向に伸びて）２個備えられているものを例に説明しているが、それに限定されるものではなく、ラジアル方向、或いはタンジェンシャル方向、ラジアル方向に所定の角度なすように配置されているものや平行でないものであってもよい。また、２個よりも多くの緩衝部材が備えられているものであってもよい。
【００５９】
また、上述の各実施例では、対物レンズが最も上部に突出して（光ディスクに近づくように）形成されているものに対して緩衝部材２７（２８）を適用しているが、それに限定されるものではなく、対物レンズホルダの一部が対物レンズよりも突出するように形成されているものにも適用することができる。対物レンズ（対物レンズホルダ）が光ディスクに異常接近したときに、光ディスクが対物レンズ（対物レンズホルダ）と接触する前に緩衝部材に接触するように形成されているものを広く採用することができる。
【００６０】
また、上記実施例では、緩衝部材の斜行部及び連結部の両方が弾性変形可能に形成されているものを例に説明しているが、それに限定されるものではなく、少なくとも一方が弾性変形可能であればよい。前記連結部を押すことで、前記連結部の前記対物レンズ又は前記対物レンズホルダより突出した突出量を調整することができるものを広く採用することができる。
【００６１】
以上、発明の実施形態を具体的に説明したが、本発明は上記実施形態に限定するものではなく、その要旨を逸脱しない範囲で種々変更可能である。上記実施形態に記載した特徴のうち複数を備えていてもよい。
【産業上の利用可能性】
【００６２】
本発明は、光ディスクを記録媒体とする光ディスク装置に用いられる光ピックアップにおいて適用することができる。
【図面の簡単な説明】
【００６３】
【図１】図１は本発明にかかる光ピックアップの一例の構成を示す配置図である。
【図２】本発明にかかる光ピックアップに備えられたアクチュエータの一例の平面図である。
【図３】図２に示すアクチュエータの正面図である。
【図４】図２に示すアクチュエータに用いられる対物レンズホルダの拡大斜視図である。
【図５】図４に示す対物レンズホルダの一例の断面図である。
【図６】図５に示す対物レンズホルダに緩衝部材を凹溝に取り付ける前の断面図である。
【図７】本発明にかかる光ピックアップの他の例に備えられた対物レンズホルダの断面図である。
【図８】図７に示す対物レンズホルダに緩衝部材を取り付ける前の対物レンズホルダの断面図である。
【符号の説明】
【００６４】
Ａ  光ピックアップ
１  本体
２  アクチュエータ
２１  アクチュエータベース
２２  永久磁石
２３  支持部材
２４  対物レンズホルダ
２４１  対物レンズ取付孔
２４２  フォーカスコイル
２４３  トラッキングコイル
２４４  接続端子
２４５  凹溝
２４６  凹溝
２４７  突出部
２５  電力基板
２６  ワイヤばね
２７  緩衝部材
２７１  斜行部
２７２  連結部
３  光学系
３１  レーザ光源
３２  偏光ビームスプリッタ
３３  コリメータレンズ
３４  立ち上げミラー
３５  １／４波長板
３６  対物レンズ
３７  センサレンズ
【図１】
2008293551.tif 000003
【図２】
2008293551.tif 000004
【図３】
2008293551.tif 000005
【図４】
2008293551.tif 000006
【図５】
2008293551.tif 000007
【図６】
2008293551.tif 000008
【図７】
2008293551.tif 000009
【図８】
2008293551.tif 000010